(57)【要約】【課題】            手の大きさや形状、筆記姿勢等の個人差に拘わらずに、使用者に対し軸筒全体にわたる良好なフィット感を与えることができる筆記具を提供する。【解決手段】        軸筒１０の前側に把持部１０ａを設けるとともに該把持部１０ａよりも後側に指間当接部１０ｂを設けるようにした筆記具であって、前記把持部１０ａを筆記姿勢で把持した場合の手における指先側形状に略倣うように形成するとともに、前記指間当接部１０ｂを筆記姿勢で把持した場合の手における拇指と示指との間の形状に略倣うように形成し、前記把持部１０ａに対し周方向へ前記指間当接部１０ｂが回動するようにした。【選択図】          図１
2007296736.tif 000002
【特許請求の範囲】
【請求項１】
軸筒の前側に把持部を設けるとともに該把持部よりも後側に指間当接部を設けるようにした筆記具であって、
前記把持部を筆記姿勢で把持した場合の手における指先側形状に略倣うように形成するとともに、前記指間当接部を筆記姿勢で把持した場合の手における拇指と示指との間の形状に略倣うように形成し、
前記把持部に対し周方向へ前記指間当接部が回動するようにしたことを特徴とする筆記具。
【請求項２】
上記把持部に対して上記指間当接部を回動させた際に、その回動する指間当接部が所定角度毎に係止されるようにしたことを特徴とする請求項１記載の筆記具。
【請求項３】
上記把持部を有する前軸と上記指間当接部を有する後軸とを、その一方に対し他方が周方向へ回動するように接続することで上記軸筒を構成している筆記具であって、
前記前軸と前記後軸との内、その一方の軸における周壁に、他方の軸の端部と対向する凹凸部を周方向へわたって複数設け、
他方の軸の端部には、前記凹凸部における凹部に対し弾性的に嵌脱するように凸部を設けたことを特徴とする請求項２記載の筆記具。
【請求項４】
上記指間当接部は、非同一円周上において遠心方向へ環状に突出する傾斜環状突部と、該傾斜環状突部に沿うようにして該傾斜環状突部の前側に配設された傾斜溝とからなり、
前記傾斜溝は、前記傾斜環状突部に沿う斜め後方へ向かって、漸次深くなるとともに軸方向寸法が漸次拡大する凹曲面状に形成されていることを特徴とする請求項１乃至３何れか１項記載の筆記具。
【発明の詳細な説明】
【技術分野】
【０００１】
本発明は、例えばボールペンや、シャープペンシル、フェルトペン等、軸筒が把持される筆記具に関するものである。
【背景技術】
【０００２】
従来、この種の発明には、例えば特許文献１に記載されたもののように、前軸（２）と、前軸（２）と一体的な後軸（４）と、前軸（２）と後軸（４）との間に介在されて後軸（４）に対し回転可能な中軸（３）と、前端側を前軸（２）に対し止着するとともに後端側を中軸（３）に止着するようにして前軸（２）の外周に設けられた把持部（１）とを備え、中軸（３）に相対し後軸（４）を回転させることで、把持部（１）を捻り、該把持部（１）の外周面形状を変化させるようにした可変式グリップ構造がある。
この可変式グリップ構造を備えた筆記具では、グリップ外周面形状を変化させることで、手の指先側に対する感触を調整することができる。
【０００３】
しかしながら、上記従来技術によれば、軸筒の後部側には特に接触時の感触を調整するための機能を具備していない。すなわち、実際に筆記具を筆記姿勢において把持した際には、その筆記具は、指先に対し接触する以外に、手の拇指と示指との間に対しても接触することになる。
したがって、筆記姿勢時の手に対するフィット感をより向上にするためには、筆記具の軸筒全体にわたる工夫を要するが、手の大きさや形状、筆記姿勢等には個人差があるため容易でない。
【特許文献１】特開２００４−１４２１９１号公報
【発明の開示】
【発明が解決しようとする課題】
【０００４】
本発明は上記従来事情に鑑みてなされたものであり、その課題とする処は、手の大きさや形状、筆記姿勢等の個人差に拘わらずに、使用者に対し軸筒全体にわたる良好なフィット感を与えることができる筆記具を提供することにある。
【課題を解決するための手段】
【０００５】
上記課題を解決するために第一の発明は、軸筒の前側に把持部を設けるとともに該把持部よりも後側に指間当接部を設けるようにした筆記具であって、前記把持部を筆記姿勢で把持した場合の手における指先側形状に略倣うように形成するとともに、前記指間当接部を筆記姿勢で把持した場合の手における拇指と示指との間の形状に略倣うように形成し、前記把持部に対し周方向へ前記指間当接部が回動するようにしたことを特徴とする。
【０００６】
また、第二の発明では、上記把持部に対して上記指間当接部を回動させた際に、その回動する指間当接部が所定角度毎に係止されるようにしたことを特徴とする。
【０００７】
また、第三の発明では、上記把持部を有する前軸と上記指間当接部を有する後軸とを、その一方に対し他方が周方向へ回動するように接続することで上記軸筒を構成している筆記具であって、前記前軸と前記後軸との内、その一方の軸における周壁に、他方の軸の端部と対向する凹凸部を周方向へわたって複数設け、他方の軸の端部には、前記凹凸部における凹部に対し弾性的に嵌脱するように凸部を設けたことを特徴とする。
【０００８】
また、第四の発明では、上記指間当接部は、非同一円周上において遠心方向へ環状に突出する傾斜環状突部と、該傾斜環状突部に沿うようにして該傾斜環状突部の前側に配設された傾斜溝とからなり、前記傾斜溝は、前記傾斜環状突部に沿う斜め後方へ向かって、漸次深くなるとともに軸方向寸法が漸次拡大する凹曲面状に形成されていることを特徴とする。
【発明の効果】
【０００９】
本発明は、以上説明したように構成されているので、以下に記載されるような作用効果を奏する。
第一の発明によれば、筆記姿勢で把持された際、軸筒の前側の把持部が手の指先側部分に対しよくフィットして接触し、更に、指間当接部が、手の拇指と示指との間の部分によくフィットして接触する。なお、前記拇指と示指の間の部分とは、拇指の付け根側部分から示指の付け根側部分にわたる範囲のことであり、この部分は、把持する人の姿勢により、拇指寄り側であったり、示指寄り側であったり、あるいは拇指と示指との略中央近傍であったりする。
しかも、把持部に相対し指間当接部を周方向へ回動させれば、把持部と指間当接部との周方向の位置関係を調整することができる。
よって、手の大きさや形状、筆記姿勢等の個人差に拘わらずに、使用者に対し軸筒全体にわたる良好なフィット感を与えることができる。
【００１０】
更に、第二の発明によれば、把持部に対し指間当接部を回動させた際、その回動を所定角度毎に係止させることができる。
したがって、手の大きさや形状、筆記姿勢等に個人差がある場合でも、使用者毎に最適となるように把持部と指間当接部との周方向の位置関係を調整し、その調整された状態を保持することができる。
【００１１】
更に、第三の発明によれば、前軸と後軸との内の一方を他方に対し回動させれば、凹凸部の凹部に対し凸部が弾性的に嵌脱するため、その回動を所定角度毎に係止することができる上、その回動操作を容易に行うことができる。
【００１２】
更に、第四の発明によれば、当該筆記具が通常の筆記姿勢で把持されると、把持部が拇指、示指、中指の３本の指により把持され、指間当接部が、拇指と示指の間の部分により受けられる。
この筆記姿勢において、指間当接部は、使用者の拇指と示指の間の部分に対し、傾斜溝を嵌め合わせるとともに、該傾斜溝よりも後方側の傾斜環状突部を当接させる。
特に、後方へ向かって漸次深くなるとともに軸方向寸法が拡大する凹曲面状の傾斜溝が、後方へかけて次第に厚みを増す使用者の拇指と示指の間の部分に対し、前後へわたる比較的広い面積で接触することになる。
そのため、使用者に対し良好なフィット感を与えることができる上、使用者が握力を緩めた際には、当該筆記具が手からずれ落ちてしまうのを傾斜環状突部によって防ぐことができる。
しかも、使用者の手が比較的大きい場合や、使用者の把持箇所が後寄りである場合にも、傾斜溝が後方へ向かって漸次深くなるとともに軸方向寸法が拡大する凹曲面状であるため、この傾斜溝の後寄りの深く広い凹曲面状の部分を、使用者の拇指と示指の間の部分に、良好にフィットさせることができ、その上、把持部に対し指間当接部の周方向へ回動させれば、軸筒全体にわたるフィット感を一層向上させることができる。
【発明を実施するための最良の形態】
【００１３】
以下、本発明の実施の形態を図面に基づいて説明する。
本発明に係わる筆記具Ａは、把持部１０ａを有する前軸２０と指間当接部１０ｂを有する後軸３０とを、その一方に対し他方が周方向へ回動するように接続することで、軸筒１０を構成している。
【００１４】
前軸２０は、合成樹脂材料から筆記具Ａの略前半部を構成する筒状に形成され、その前端側に、筆記先端部ａ３を出没させる先口ａ２を螺合接続している。
この前軸２０の後端部には、後述する後軸３０の凹凸部３１の凹部３１ａに対し弾性的に嵌脱するように凸部２１が形成されている。
この凸部２１は、図２に示すように、前軸２０の後端部に、軸筒前方へ弾性的に撓み可能な撓み片部２０ｂを設け、該撓み片部２０ｂにおける周方向の突端側に配設されている。
【００１５】
より詳細に説明すれば、前軸２０の周壁の後端には、周方向へわたるとともにその一端側を軸筒後方の空間へ連通させた略Ｌ字状の切欠部２０ａが形成されることで、該切欠部２０ａよりも軸筒後端側に、周方向へわたる撓み片部２０ｂが設けられる。凸部２１は、撓み片部２０ｂにおける周方向の突端側から、軸筒後方（図２における上方）へ突出するようにして設けられている。
そして、この凸部２１は、周方向の突端に、後述する後軸３０の凹凸部３１に対し当接させる当接面部２１ａを有するとともに、その逆側には、同凹凸部３１を乗り越えさせるための乗り越え傾斜面２１ｂを有する。
【００１６】
また、前軸２０の後端側には、係止リング５０が軸前方へ移動不能となるように嵌め合わされている（図１左拡大図参照）。この係止リング５０は、その内周面の環状係止突起５１を、前軸２０外周面に装着されたグリップ１５の後部に食い込ませることで、グリップ１５の後部が筆圧等により前方へずれてしまうのを防いでいる。
【００１７】
更に、前軸２０の後端側には、後軸３０を接続するためのリング部材１６が、軸方向へ移動不能であって、且つ周方向へ回動自在となるように、環状に嵌め合わせられている。
このリング部材１６の前端側には、係止リング５０に被さるようにして外部へ露出される露出リング部１６ａを有する。また、同リング部材１６の後端側には、後軸３０を螺合接続させるための雄ネジ部１６ｂを有する。
【００１８】
また、前軸２０の外周面には、環状に装着されたグリップ１５によって、使用者の拇指、示指、中指により把持される把持部１０ａが構成されている。
グリップ１５は、略筒状に成形され、その軸方向における中央側に指先側当接面１５ａ，１５ａ，１５ａを配設し、これら指先側当接面１５ａ，１５ａ，１５ａの前後に、補助指先側当接面１５ｂ，１５ｃを配設している。
このグリップ１５は、例えばエラストマー樹脂等の軟質合成樹脂材料や合成ゴム材料等であって、好ましくはゴム硬度が５〜４０度、詳しくは１５度程度の極軟質な材料から形成されることで、使用者に対する把持感触を良好にしている。
【００１９】
前記指先側当接面１５ａは、グリップ１５の軸方向の中央側に配置され、その周方向において略等間隔に３つ設けられている。すなわち、周方向に隣り合う指先側当接面１５ａ，１５ａ間の配置角度は、約１２０度である。
【００２０】
各指先側当接面１５ａは、その表面を縦断面凹曲線状の曲面としている。
より詳細に説明すれば、各指先側当接面１５ａの表面は、図４（ｂ）に示すように、軸方向の一方側から他方側へかけて凹曲線状となるように形成されている。
また、三つの指先側当接面１５ａ，１５ａ，１５ａの横断面形状は、図５（II）に示すように、各辺部分を遠心方向へ突曲させた略三角形状において、その各頂点部分を削った形状を呈する。図５（II）によれば、遠心方向へ突曲した各辺部が指先側当接面１５ａであり、周方向に隣り合う指先側当接面１５ａ，１５ａの間の部分が、後述する補助指先側当接面１５ｂに連続する部分である。
【００２１】
そして、グリップ１５における指先側当接面１５ａ，１５ａ，１５ａよりも前側の補助指先側当接面１５ｂ，１５ｂ，１５ｂは、上記指先側当接面１５ａに対し周方向へ角度を約６０度ずらすようにして、周方向において等間隔に三つ配設されている。
これら三つの補助指先側当接面１５ｂ，１５ｂ，１５ｂの横断面形状は、上記指先側当接面１５ａ，１５ａ，１５ａと略同様に、図５（III）に示すように各辺部分を遠心方向へ突曲させた略三角形状において、その各頂点部分を削った形状を呈する。図５（III）によれば、遠心方向へ突曲した各辺部が補助指先側当接面１５ｂであり、周方向に隣り合う補助指先側当接面１５ｂ，１５ｂの間の部分が、上記指先側当接面１５ａに連続する部分である。
【００２２】
また、同様に、グリップ１５における指先側当接面１５ａ，１５ａ，１５ａよりも後側の補助指先側当接面１５ｃ，１５ｃ，１５ｃも、上記指先側当接面１５ａに対し周方向へ角度を約６０度ずらすようにして、周方向において等間隔に三つ配設されている。
これら三つの補助指先側当接面１５ｃ，１５ｃ，１５ｃの横断面形状は、上記指先側当接面１５ａ，１５ａ，１５ａと略同様に、各辺部分を遠心方向へ突曲させた略三角形状を呈する（図５（I）参照）。
【００２３】
なお、本実施の形態の好ましい一例によれば、上記したように、把持部１０ａにおける指先側当接面１５ａよりも前側の部位と後側の部位との双方に、補助指先側当接面１５ｂ，１５ｃを備えるようにしているが、他例としては、その一方のみに補助指先側当接面１５ｂ（又は１５ｃ）を備えるようにしてもよい。
【００２４】
また、後軸３０は、その前端側の内周面に、リング部材１６の雄ネジ部１６ｂを螺合させるための雌ネジ部３２を有するとともに、同内周面における雌ネジ部３２よりも後方側に、上記前軸２０の凸部２１に対し嵌脱させるための凹凸部３１を有する。
【００２５】
凹凸部３１は、後軸３０の内周面に形成された段部の前方向きの端面に、周方向へわたって所定間隔置きに凹部３１ａを複数配設することで形成されている。
各凹部３１ａは、図２に示すように、前軸２０後端の凸部２１と嵌り合う形状を呈し、その周方向の一方側の端面を、凸部２１の当接面部２１ａと当接し合う被当接面部３１ａ１にするとともに、その他方側の端面を、凸部２１の乗り越え傾斜面２１ｂを乗り越えさせるための傾斜面３１ａ２にしている。
【００２６】
ここで、前軸２０側の凸部２１と、後軸３０側の凹凸部３１とが嵌脱する際の作用について述べれば、図２の展開図に示すように、前軸２０に対し後軸３０を一方向へ回すと、凸部２１の乗り越え傾斜面２１ｂが、凹部３１ａの傾斜面３１ａ２の下端側に摺接するため、凸部２１を有する撓み片部２０ｂは、図２において二点鎖線で示すように、弾性的に下方へ撓む。
そして、凸部２１は、後軸３０の回転に伴い、隣り合う凹部３１ａ間の凸状部分を乗り越えると、撓み片部２０ｂの弾性的な復元力により、隣の凹部３１ａに嵌り合う。
【００２７】
なお、図示例によれば、前軸２０に対し後軸３０を逆方向へ回転させようとした場合には、前軸２０側の凸部２１の当接面部２１ａと、後軸３０側の凹部３１ａの被当接面部３１ａ１とが当接し合う。すなわち、前軸２０に対し後軸３０を一方向へしか回転できない構造としている。
しかしながら、他例としては、当接面部２１ａおよび被当接面部３１ａ１の各々を傾斜面としたり、凸部２１の突端部を角の無い曲線状に形成したりすることで、前軸２０に対し双方向へ回転可能な後軸３０を構成することも可能である。
【００２８】
また、後軸３０の外周面には、使用者の拇指と示指の間の部分により受けられ指間当接部１０ｂや、該指間当接部１０ｂよりも後側に位置する小径部１３、クリップ部１４等が構成されている。
【００２９】
指間当接部１０ｂは、傾斜環状突部１１と傾斜溝１２とからなる。
傾斜環状突部１１は、非同一円周上において遠心方向へ環状に突出するように形成された略楕円状の突部である。
換言すれば、この傾斜環状突部１１は、筆記具Ａの軸心に対し傾斜するとともに（図３（ａ）参照）、遠心方向へ環状に突出するように形成されている。
【００３０】
また、傾斜溝１２は、前記傾斜環状突部１１に沿うようにして傾斜環状突部１１の前側に配置された溝である。
この傾斜溝１２は、傾斜環状突部１１に沿う斜め後方へ向かって、漸次深くなるとともに軸方向寸法ｗが漸次拡大する凹曲面状に形成されている。
図示例の傾斜溝１２について、より詳細に説明すれば、この傾斜溝１２の最前端部の表面は、図３（ａ）に示すように、リング部材１６の外周面と略面一に形成されている。
そして、この傾斜溝１２の前記最前端部以外の表面は、リング部材１６の外周面よりも求心方向側に位置し、斜め後方へ向かって徐々に深くなるとともに軸方向寸法ｗを徐々に拡大している。
【００３１】
すなわち、本願発明者は、人の手の形状が指先から手の甲の付け根にかけて徐々に厚みを増すこと等に着眼し、思考錯誤の実験の末、上記のような傾斜環状突部１１及び傾斜溝１２の形状により、筆記者の手との接触面積を比較的広く確保することができることに気付いた。
【００３２】
また、上記構成の傾斜環状突部１１よりも後方側の小径部１３は、傾斜環状突部１１の最大外径よりも小径に形成されている。そして、該小径部１３の外周面には、クリップ部１４及び補助玉部１７が形成されている（図３（ａ）参照）。
【００３３】
小径部１３は、その外周面を、例えば図３（ａ）に示すように上記傾斜溝１２の最深部１２ａと略面一にした略円筒状に形成される。
クリップ部１４は、上記三つの指先側当接面１５ａ，１５ａ，１５ａの内の一つに対し周方向の位置を略一致させて配置され、更に図示した好ましい一例によれば、傾斜溝１２の最浅部１２ｂ（図３（ａ）参照）の位置に対しても略一致するように配置されている。
前記のようなクリップ部１４の配置は、使用者が当該筆記具Ａを通常の筆記姿勢で把持した際に、クリップ部１４が使用者の拇指示指間に触れ難い周方向位置となるように考慮された配置である（図６参照）。
【００３４】
また、このクリップ部１４の遠心方向の高さ寸法は、クリップ部１４が使用者の拇指示指間に触れ難いように、傾斜環状突部１１の最大外径と略同等に設定されている。
また、このクリップ部１４の先端側の裏面には、玉部１４ａが突設されている。この玉部１４ａは、小径部１３外周面の補助玉部１７と協働して、該クリップ部１４内側に挟まれた際の被挟持物が容易に抜けないようにする。
【００３５】
上記構成において、後軸３０外周面の傾斜環状突部１１や、クリップ部１４、補助玉部１７等は、二重成形によって形成される。
すなわち、後軸３０において、その外周面の傾斜環状突部１１、クリップ部１４、及び補助玉部１７以外の軸心側の部位は、有色合成樹脂材料を用いた最初の工程で成形される。
そして、同後軸３０において、その外周面の傾斜環状突部１１、クリップ部１４、及び補助玉部１７等は、前記成形の後工程で、透明合成樹脂材料により成形される。
【００３６】
上記のようにして二重成形された後軸３０によれば、その外周面の傾斜環状突部１１と他の部分との間に、段差が殆ど生じないため、軸筒１０の把持感触を良好にすることができる。
しかも、有色合成樹脂材料の周囲に、透明合成樹脂材料からなる傾斜環状突部１１、クリップ部１４、補助玉部１７等が一体に構成されるため、意匠上の体裁にも優れている。
【００３７】
なお、図中符号７０は、ボールペン用リフィールであり、その先端部に転写ボールを回動自在に抱持した筆記先端部ａ３を有する。このボールペン用リフィールをシャープペンシル用リフィールに置換した構成とすることも可能である。
そして、上記構成の筆記具Ａは、後端側のノック部ａ１の操作により、ボールペン用リフィール７０の筆記先端部ａ３を先口ａ２前端から出没させるように構成されている。
【００３８】
而して、上記構成の筆記具Ａによれば、通常の筆記姿勢で把持した際、把持部１０ａの指先側当接面１５ａ，１５ａ，１５ａの各々に、使用者の拇指、示指、中指がそれぞれ当接する。
この際、各指先側当接面１５ａの表面は、縦断面凹曲線状の曲面であるため、各指に対し良好にフィットする。
【００３９】
また、使用者の拇指と示指との間の部分に対し、指間当接部１０ｂの傾斜溝１２が嵌り合うとともに、傾斜環状突部１１も当接する。この際、傾斜溝１２が後方へ向かって漸次深くなり且つ軸方向へ拡大する凹曲面状であるため、指間当接部１０ｂと使用者の拇指示指間との接触面積を比較的広く確保することができ、使用者に対し良好なフィット感を与えることができる。
【００４０】
また、使用者が把持部１０ａの前端寄り又は後端寄りを把持した場合にも、補助指先側当接面１５ｂ，１５ｂ，１５ｂまたは補助指先側当接面１５ｃ，１５ｃ，１５ｃが、使用者の拇指、示指、中指に当接するため、使用者に対し良好な把持感触を与えることができる。
【００４１】
また、使用者が軸筒１０の極端に後部寄りを把持した場合でも、小径部１３が使用者の拇指示指間に当接するため、使用者に対し良好なフィット感を与えることができる。すなわち、当該筆記具Ａによれば、使用者の筆記姿勢に個人差がある場合であっても対応することができる。また、使用者の手が極端に大きい場合にも、その使用者の拇指と示指との間の部分を、小径部により受けることで、その使用者に対し良好なフィット感を与えることができる。
しかも、クリップ部１４が周方向において使用者の拇指示指間に接触し難い位置に配置され、且つ該クリップ部１４の遠心方向への突出寸法を小さくしているため、筆記姿勢においてクリップ部１４が拇指示指間に接触することが少なく、ひいては、使用者に対し違和感を与えるようなことを防ぐことができる。
【００４２】
また、使用者が、筆記姿勢のまま、その握力を緩め、手を軽く持ち上げて休めるようにした場合には、傾斜環状突部１１が拇指と示指の間に掛かるため、筆記具Ａが手から滑り落ちるようなことを防ぐことができる。
【００４３】
その上、前軸２０に相対して後軸３０を周方向へ回せば、把持部１０ａと指間当接部１０ｂの周方向の位置関係を、使用者の手に対し、より良好にフィットする配置とすることができる。
しかも、周方向へ回された後軸３０は、前軸２０側の凸部２１と後軸３０側の凹部３１ａとの嵌り合いにより、所定角度毎に係止されるため、使用者は、良好なフィット感が得られる前記位置関係を保持することができる。
【００４４】
よって、上記構成の筆記具Ａによれば、手の大きさや形状、筆記姿勢等の個人差に拘わらずに、筆記姿勢時に軸筒全体にわたって良好なフィット感を得ることができる。
【図面の簡単な説明】
【００４５】
【図１】本発明に係わる筆記具の一例を示し、要部を切欠し拡大して示している。
【図２】同筆記具において、前軸に相対して後軸を所定角度毎に係止させる構造を示す要部展開図である。
【図３】同筆記具における後側部分を拡大して示しており、（ａ）は側面図であり、（ｂ）は正面図である。
【図４】同筆記具における前側部分を拡大して示しており、（ａ）は側面図であり、（ｂ）は正面図である。
【図５】（ａ）は図４（ｂ）における(I)-(I)線端面図であり、（ｂ）は図４（ｂ）における(II)-(II)線端面図であり、（ｃ）は図４（ｂ）における(III)-(III)線端面図であり、それぞれ内部構造を省略して示している。
【図６】同筆記具を筆記姿勢で把持した状態を示す斜視図である。
【符号の説明】
【００４６】
１０：軸筒
１０ａ：把持部
１０ｂ：指間当接部
１１：傾斜環状突部
１２：傾斜溝
１３：小径部
１４：クリップ部
１５：グリップ
１５ａ：指先側当接面
１５ｂ，１５ｃ：補助指先側当接面
２０：前軸
２１：凸部
３０：後軸
３１：凹凸部
３１ａ：凹部
Ａ：筆記具
ｗ：軸方向寸法
【図１】
2007296736.tif 000003
【図２】
2007296736.tif 000004
【図３】
2007296736.tif 000005
【図４】
2007296736.tif 000006
【図５】
2007296736.tif 000007
【図６】
2007296736.tif 000008